(57)【要約】【課題】  撮影者に対して特別な操作を強いることなく、静止画撮影時及び動画撮影時の操作性を向上させたデジタルカメラを提供する。【解決手段】  カメラ本体１１の姿勢を正位置にした状態で、カメラ本体１１（グリップ２０）が側方から把持されると、第１圧力センサ３１によって、静止画撮影に適した第１把持位置で把持されていることが検知され、静止画撮影ボタン１５の操作が有効化され、動画撮影ボタン１６の操作が無効化される。また、カメラ本体１１の姿勢を正位置から撮影レンズ１２の光軸回りに９０度回転させた縦位置にした状態で、カメラ本体１１の下方部分（グリップ２０）が背面側から把持されると、第２圧力センサ３２によって、動画撮影に適した第２把持位置で把持されていることが検知され、静止画撮影ボタン１５の操作が無効化され、動画撮影ボタン１６の操作が有効化される。【選択図】        図２
2006148346.tif 000002
【特許請求の範囲】
【請求項１】
撮影レンズ及び撮像手段が組み込まれたカメラ本体を有し、前記撮像手段によって静止画撮影と動画撮影の両方を実行するデジタルカメラにおいて、
前記静止画撮影に適した第１把持位置で前記カメラ本体が把持された場合にその第１把持位置からの操作に適した位置に配置され、前記静止画撮影を実行させるための静止画撮影ボタンと、前記第１把持位置とは異なり前記動画撮影に適した第２把持位置で前記カメラ本体が把持された場合にその第２把持位置からの操作に適した位置に配置され、前記動画撮影を実行させるための動画撮影ボタンとからなる２つの撮影ボタンと、
前記カメラ本体の把持位置が前記第１及び第２の各把持位置のいずれであるかを検知する把持位置検知手段と、
前記把持位置検知手段によって前記第１把持位置が検知された場合に、前記静止画撮影ボタンを有効化して、前記動画撮影ボタンを無効化するとともに、他方、前記第２把持位置が検知された場合には、前記静止画撮影ボタンを無効化して、前記動画撮影ボタンを有効化するように各撮影ボタンを制御する制御手段とを設けたことを特徴とするデジタルカメラ。
【請求項２】
前記第１把持位置は、前記カメラ本体の姿勢を正位置にした状態でそのカメラ本体を側方から把持する把持位置であり、他方、前記第２把持位置は、前記カメラ本体の姿勢を前記正位置から前記撮影レンズの光軸回りに９０度回転させた縦位置にした状態でそのカメラ本体の下方部分を把持する把持位置であることを特徴とする請求項１記載のデジタルカメラ。
【請求項３】
前記把持位置検知手段は、前記第１及び第２の把持位置に対応する位置に配置された圧力センサであることを特徴とする請求項１又は２記載のデジタルカメラ。
【請求項４】
前記把持位置検知手段は、前記カメラ本体の姿勢を検知する姿勢検知手段であることを特徴とする請求項２記載のデジタルカメラ。
【請求項５】
前記姿勢検知手段は、ジャイロセンサであることを特徴とする請求項４記載のデジタルカメラ。
【請求項６】
前記カメラ本体が携帯用端末機器に組み込まれていることを特徴とする請求項１〜５いずれか記載のデジタルカメラ。
【請求項７】
前記携帯用端末機器は、受話器と送話器とがヒンジを介して接続され、前記受話器と送話器とは、前記ヒンジを中心に互いを重なり合わせる向きに回動して折り畳まれる折り畳み位置と、この折り畳み位置から互いを離間させる向きに回動させて開く開き位置との間で開閉自在な携帯電話であり、前記把持位置検知手段は、前記開閉状態を検出する開閉センサであり、前記折り畳み位置のときに前記第１把持位置と検知し、前記開き位置のときに第２把持位置と検知することを特徴とする請求項６記載のデジタルカメラ。
【請求項８】
前記撮像手段の撮像面を略正方形にするとともに、前記カメラ本体の把持位置に基づいて、前記撮像面のうち撮影画像を切り出す撮像エリアを変更する撮像エリア変更手段を設け、前記カメラ本体が第２把持位置で把持されて前記撮像面が９０度回転した場合でも、横長のアスペクト比を持つ撮影画像を取得できるようにしたことを特徴とする請求項２〜７いずれか記載のデジタルカメラ。
【請求項９】
前記２つの撮影ボタンのうち有効化された撮影ボタンは、その押圧位置を変化させることにより、静止画及び動画の両方の撮影ボタンとして機能することを特徴とする請求項１〜８いずれか記載のデジタルカメラ。
【発明の詳細な説明】
【技術分野】
【０００１】
本発明は、静止画撮影及び動画撮影が可能なデジタルカメラに関する。
【背景技術】
【０００２】
近年、ＣＣＤイメージセンサ等の撮像手段によって撮像された画像データをデジタルデータに変換して、メモリに記憶させるデジタルカメラが一般に普及している。また、メモリの高集積化による記憶容量の増加や、動画圧縮技術の向上等によって動画撮影が可能となり、静止画撮影と動画撮影の両方を実行可能なデジタルカメラが市販されている。
【０００３】
しかし、カメラ本体を把持して撮影する際に、撮影を行いやすい把持位置が静止画撮影時と動画撮影時とでは異なる。このため、静止画撮影時と動画撮影時とで同じ位置を把持して撮影を行うと、カメラの操作性が悪いという問題があった。このような問題を解決するために、静止画撮影時と動画撮影時とで、ＬＣＤパネル等の画像表示部の向きや、撮影レンズの向き等を変更して、各撮影に適した位置でカメラ本体を把持することにより、撮影時のカメラの操作性を向上させたものが知られている（例えば、特許文献１参照）。
【特許文献１】特開２００３−２４４４９１号公報
【発明の開示】
【発明が解決しようとする課題】
【０００４】
しかしながら、特許文献１に記載のデジタルカメラでは、静止画撮影と動画撮影とを変更する際に、画像表示部等の向きを変更する操作をユーザに強いるため、時間と手間がかかるという問題があった。
【０００５】
本発明は上記事情に鑑みてなされたものであり、撮影者に対して特別な操作を強いることなく、静止画及び動画撮影時の操作性を向上させたデジタルカメラを提供することを目的とする。
【課題を解決するための手段】
【０００６】
上記課題を解決するために、本発明のデジタルカメラは、撮影レンズ及び撮像手段が組み込まれたカメラ本体を有し、前記撮像手段によって静止画撮影と動画撮影の両方を実行するデジタルカメラであり、前記静止画撮影に適した第１把持位置で前記カメラ本体が把持された場合にその第１把持位置からの操作に適した位置に配置され、前記静止画撮影を実行させるための静止画撮影ボタンと、前記第１把持位置とは異なり前記動画撮影に適した第２把持位置で前記カメラ本体が把持された場合にその第２把持位置からの操作に適した位置に配置され、前記動画撮影を実行させるための動画撮影ボタンとからなる２つの撮影ボタンと、前記カメラ本体の把持位置が前記第１及び第２の各把持位置のいずれであるかを検知する把持位置検知手段と、前記把持位置検知手段によって前記第１把持位置が検知された場合に、前記静止画撮影ボタンを有効化して、前記動画撮影ボタンを無効化するとともに、他方、前記第２把持位置が検知された場合には、前記静止画撮影ボタンを無効化して、前記動画撮影ボタンを有効化するように各撮影ボタンを制御する制御手段とを設けたことを特徴とするものである。
【０００７】
また、前記第１把持位置は、前記カメラ本体の姿勢を正位置にした状態でそのカメラ本体を側方から把持する把持位置であり、他方、前記第２把持位置は、前記カメラ本体の姿勢を前記正位置から前記撮影レンズの光軸回りに９０度回転させた縦位置にした状態でそのカメラ本体の下方部分を把持する把持位置であることが好ましい。
【０００８】
さらに、前記把持位置検知手段は、前記第１及び第２の把持位置に対応する位置に配置された圧力センサでも良いし、前記把持位置検知手段は、前記カメラ本体の姿勢を検知する姿勢検知手段でも良い。また、この姿勢検知手段は、ジャイロセンサであることが好ましい。
【０００９】
また、前記カメラ本体が携帯用端末機器に組み込まれていても良い。さらに、前記携帯用端末機器は、受話器と送話器とがヒンジを介して接続され、前記受話器と送話器とは、前記ヒンジを中心に互いを重なり合わせる向きに回動して折り畳まれる折り畳み位置と、この折り畳み位置から互いを離間させる向きに回動させて開く開き位置との間で開閉自在な携帯電話であり、前記把持位置検知手段は、前記開閉状態を検出する開閉センサであり、前記折り畳み位置のときに前記第１把持位置と検知し、前記開き位置のときに第２把持位置と検知することを特徴とするものである。
【００１０】
さらに、前記撮像手段の撮像面を略正方形にするとともに、前記カメラ本体の把持位置に基づいて、前記撮像面のうち撮影画像を切り出す撮像エリアを変更する撮像エリア変更手段を設け、前記カメラ本体が第２把持位置で把持されて前記撮像面が９０度回転した場合でも、横長のアスペクト比を持つ撮影画像を取得できるようにしたことを特徴とするものである。
【００１１】
また、前記２つの撮影ボタンのうち有効化された撮影ボタンは、その押圧位置を変化させることにより、静止画及び動画の両方の撮影ボタンとして機能することが好ましい。
【発明の効果】
【００１２】
本発明のデジタルカメラによれば、静止画撮影に適した第１把持位置でカメラ本体が把持されていることが検知された時に、静止画撮影ボタンを有効化して、動画撮影ボタンを無効化するとともに、動画撮影に適した第２把持位置でカメラ本体が把持されていることが検知された時に、静止画撮影ボタンを無効化して、動画撮影ボタンを有効化するので、静止画または動画撮影に適した把持位置でカメラ本体を把持して撮影することができる。このため、カメラの操作性を向上させることができる。また、撮影者に対して特別な動作を強いることなく、静止画及び動画撮影を実行することができるので、撮影チャンスを逃すことを防止できる。
【００１３】
また、静止画撮影ボタン及び動画撮影ボタンは、その押圧位置を変化させることにより、静止画及び動画の両方の撮影ボタンとして機能するので、不意に他の記録モードで撮影したいと思った場合でも、カメラ本体を持ち替えずに撮影可能であり、撮影チャンスを逃すことを防止できる。
【発明を実施するための最良の形態】
【００１４】
図１は、本発明の第１の実施形態であるデジタルカメラ１０の構成を示す斜視図である。デジタルカメラ１０は、略直方体形状のカメラ本体１１の前面に、撮影レンズ１２と、対物ファインダ窓１３と、ストロボ発光部１４とが設けられており、上面には、静止画撮影ボタン１５、及び動画撮影ボタン１６が設けられている。
【００１５】
カメラ本体１１の側面には、画像データが記憶されるメモリカードが着脱自在に装填されるスロット１８と、ＵＳＢ端子１９とが設けられている。さらに、図示しないが、カメラ本体１１の背面には、ＬＣＤパネルや、複数のボタンで構成される操作部や、接眼ファインダ窓等が設けられている。
【００１６】
また、カメラ本体１１の左側端部には、グリップ２０が一体に形成されている。このグリップ２０の前面には、前方に突出した滑り止め２１が設けられている。静止画撮影を行う場合、撮影者は、図２（Ａ）に示すように、カメラ本体１１の姿勢を正位置にした状態で、カメラ本体１１の側方からグリップ２０を把持して撮影を行う。この時、指の先端が滑り止め２１に掛かり、グリップ２０を把持する手が滑りにくい。また、前述の静止画撮影ボタン１５は、図２（Ａ）に示す把持位置（第１把持位置）からの操作に適した位置に配置されており、第１把持位置を把持した手で操作可能である。
【００１７】
動画撮影を行う場合、撮影者は、カメラ本体１１の姿勢を正位置（図２（Ａ）に示す位置）から撮影レンズ１２の光軸回りに９０度回転させた縦位置（図２（Ｂ）に示す位置）にした状態で、カメラ本体１１の下方部分（グリップ２０）を背面側から把持する。また、前述の動画撮影ボタン１６は、図２（Ｂ）に示す把持位置（第２把持位置）からの操作に適した位置に配置されており、第２把持位置を把持した手で操作可能である。
【００１８】
また、図３に示すように、前述の滑り止め２１は、カメラ本体１１（グリップ２０）の表面側に設けられた板状部材であり、その裏面には、突起２１ａが形成されている。この突起２１ａの先端は、カメラ本体１１に形成された開口１１ａを介してカメラ本体１１内に挿通されている。また、開口１１ａの背後には、基板３０上に設けられた把持位置検知手段である第１圧力センサ３１が配置されている。滑り止め２１が押圧されていない状態では、図３（Ａ）に示すように、突起２１ａと第１圧力センサ３１との間には微小な隙間が形成されており、第１圧力センサ３１は検知信号を出力しない。
【００１９】
また、滑り止め２１が押圧されていると、図３（Ｂ）に示すように、突起２１ａが第１圧力センサ３１に向かって移動して押圧する。第１圧力センサ３１は、この圧力を検知して検知信号を出力する。つまり、第１圧力センサ３１は、図２（Ａ）に示す第１把持位置が把持された時に検知信号を出力する。なお、第１圧力センサ３１を滑り止め２１の背後に配置するように説明したが、これに限るものではなく、第１把持位置が把持されたことを検知できる位置であれば良い。
【００２０】
また、カメラ本体１１の下面側にも同様に、把持位置検知手段である第２圧力センサ３２が設けられている。この第２圧力センサ３２は、図２（Ｂ）に示す第２把持位置が把持された時に、親指によってカメラ本体１１の表面が押圧される位置の背後に配置されている。つまり、第２圧力センサ３２は、図２（Ｂ）に示す第２把持位置が把持された時に検知信号を出力する。また、第２圧力センサ３２の配置位置は、第２把持位置が把持されたことを検知できる位置であれば良い。
【００２１】
また、静止画撮影ボタン１５は略円盤形状にされており、図４に示すように、その下面の中央には突起１５ａが形成され、さらに、下面の外周に沿ってリング状の突起１５ｂが形成されている。この静止画撮影ボタン１５は、カメラ本体１１に形成された開口１１ｂに設けられており、バネ（図示せず）によってカメラ本体１１の外側に付勢されている。
【００２２】
また、静止画撮影ボタン１５の下方には、基板３５が設けられている。この基板３５の上面には、突起１５ａと対面する位置に第１スイッチ３６ａが配置されており、さらに、突起１５ｂと対面する位置に第２スイッチ３６ｂが配置されている。第１及び第２スイッチ３６ａ，３６ｂとしては、接片の導通により検出信号を出力するものでも良いし、圧力センサを用いて閾値以上の圧力を検出した時に検出信号を出力するものでも良い。
【００２３】
撮影者によって静止画撮影ボタン１５の中央部が押圧されると、静止画撮影ボタン１５は、バネの付勢力に抗して、図４（Ａ）に示す位置から図４（Ｂ）に示す位置に移動して、突起１５ａによって第１スイッチ３６ａが押圧される。この時、第１スイッチ３６ａがＯＮとなり、操作信号が出力される。また、撮影者の押圧操作が終了すると、静止画撮影ボタン１５は、バネの付勢力によって図４（Ａ）に示す位置に復帰する。
【００２４】
また、撮影者によって静止画撮影ボタン１５の端部が押圧されると、静止画撮影ボタン１５は、バネの付勢力に抗して図４（Ａ）に示す位置から図４（Ｃ）に示す位置に移動して、突起１５ａによって第１スイッチ３６ａが押圧され、さらに、突起１５ｂによって第２スイッチ３６ｂが押圧される。この時、第１及び第２スイッチ３６ａ，３６ｂが同時にＯＮとなり、これらから操作信号が出力される。また、撮影者の押圧操作が終了すると、静止画撮影ボタン１５は、バネの付勢力によって図４（Ａ）に示す位置に復帰する。
【００２５】
なお、第２スイッチ３６ｂは、リング状にしても良い。この場合、静止画撮影ボタン１５の端部のどの位置が押圧されても、第２スイッチ３６ｂが突起１５ｂによって確実に押圧されるので、操作ミスを防止することができる。
【００２６】
さらに、動画撮影ボタン１６の下方にも、静止画撮影ボタン１５と同様に、第１スイッチ３８ａ、第２スイッチ３８ｂが設けられており、静止画撮影ボタン１５と同様に作用する。
【００２７】
次に、デジタルカメラ１０の電気的構成について説明する。図５は、デジタルカメラ１０の電気的構成を示すブロック図である。撮影レンズ１２の背後には、撮影レンズ１２を透過した被写体光を撮像する撮像手段であるＣＣＤ４０が配置されている。ＣＣＤ４０は、タイミングジェネレータ（ＴＧ）４２を介して、デジタルカメラ１０の全体を制御する制御手段であるシステムコントローラ４１が接続されている。
【００２８】
システムコントローラ４１は、ＴＧ４２を制御してタイミング信号（クロックパルス）を発生させる。ＣＣＤ４０は、ＴＧ４２から入力されるタイミング信号（クロックパルス）によって駆動される。
【００２９】
ＣＣＤ４０から出力された撮像信号は、相関二重サンプリング回路（ＣＤＳ）４３に入力され、ＣＣＤ４０の各セルの蓄積電荷量に対応したＲ，Ｇ，Ｂの画像データとして出力される。ＣＤＳ４３から出力された画像データは、増幅器（ＡＭＰ）４４で増幅され、Ａ／Ｄ変換器（Ａ／Ｄ）４５によって、アナログ信号からデジタル信号の画像データに変換される。
【００３０】
画像入力コントローラ４６は、データバス４７を介してシステムコントローラ４１に接続されている。また、データバス４７には、メモリ４８が接続されており、このメモリ４８としては、例えば、ＳＤＲＡＭが用いられる。システムコントローラ４１は、画像入力コントローラ４６を制御して、Ａ／Ｄ４５から出力された画像データをメモリ４８に記憶させる。この画像データは、ＬＣＤドライバ４９を介してＬＣＤ５０にスルー画像として表示される。
【００３１】
画像信号処理回路５１は、メモリ４８に画像データが記憶されている際に、階調変換、ホワイトバランス補正、γ補正処理等の各種画像処理を施す。また、ＹＣ変換処理回路５２は、各種画像処理が施された画像データを輝度信号Yと色差信号Ｃｒ，Ｃｂとに変換する。圧縮伸張処理回路５３は、ＹＣ変換処理回路５２によって変換された画像データに対して、所定の圧縮形式（例えば、ＪＰＥＧ形式）で圧縮処理を施す。また、動画撮影時には、ＭＰＥＧ形式等の圧縮形式で圧縮処理を施す。圧縮処理が施された画像データ（静止画像データ及び動画像データ）は、メディアコントローラ５４を介してメモリカード５５に記憶される。
【００３２】
また、データバス４７には、ＵＳＢ端子１９が接続されており、メモリカード５５に記憶された画像データ（静止画像データ及び動画像データ）を外部に出力することができる。さらに、前述のシステムコントローラ４１には、第１スイッチ３６ａ，３８ａと、第２スイッチ３６ｂ，３８ｂと、第１圧力センサ３１と、第２圧力センサ３２とが接続されている。
【００３３】
システムコントローラ４１は、第１スイッチ３６ａから操作信号を取得すると、各部を制御して静止画撮影を実行させる。また、第１及び第２スイッチ３６ａ，３６ｂから同時に操作信号を取得すると、各部を制御して動画撮影を実行させる。この動画撮影では、第１及び第２スイッチ３６ａ，３６ｂから操作信号を取得している間、撮影処理を実行する。なお、最初に、第１及び第２スイッチ３６ａ，３６ｂから操作信号を取得した時に撮影を開始して、次に操作信号を取得した時に撮影を終了しても良い。
【００３４】
また、第１スイッチ３６ａから操作信号を取得した時に静止画撮影を実行し、第１及び第２スイッチ３６ａ，３６ｂから同時に操作信号を取得した時に動画撮影を実行するように説明したが、これに限るものではなく、第１スイッチ３６ａから操作信号を取得した時に動画撮影を実行し、第１及び第２スイッチ３６ａ，３６ｂから同時に操作信号を取得した時に静止画撮影を実行しても良い。
【００３５】
また、システムコントローラ４１は、第１スイッチ３８ａから操作信号を取得すると、各部を制御して動画撮影を実行させる。この動画撮影では、第１スイッチ３８ａから操作信号を取得している間、撮影処理を実行する。また、第１及び第２スイッチ３８ａ，３８ｂから同時に操作信号を取得すると、各部を制御して静止画撮影を実行させる。
【００３６】
なお、第１スイッチ３８ａから操作信号を取得した時に動画撮影を実行し、第１及び第２スイッチ３８ａ，３８ｂから同時に操作信号を取得した時に静止画撮影を実行するように説明したが、これに限るものではなく、第１スイッチ３８ａから操作信号を取得した時に静止画撮影を実行し、第１及び第２スイッチ３８ａ，３８ｂから同時に操作信号を取得した時に動画撮影を実行しても良い。
【００３７】
さらに、システムコントローラ４１は、第１圧力センサ３１から検知信号を取得すると、静止画撮影ボタン１５の操作を有効化して、動画撮影ボタン１６の操作を無効化する。すなわち、第１圧力センサ３１から検知信号を取得した状態において、システムコントローラ４１は、第１及び第２スイッチ３６ａ，３６ｂから操作信号を取得した時に、その操作信号に対応する処理を実行するが、第１及び第２スイッチ３８ａ，３８ｂから操作信号を取得しても、その操作信号に対応する処理を実行しない。
【００３８】
また、システムコントローラ４１は、第２圧力センサ３２から検知信号を取得すると、動画撮影ボタン１６の操作を有効化して、静止画撮影ボタン１５の操作を無効化する。すなわち、第２圧力センサ３２から検知信号を取得した状態において、システムコントローラ４１は、第１及び第２スイッチ３８ａ，３８ｂから操作信号を取得した時に、その操作信号に対応する処理を実行するが、第１及び第２スイッチ３６ａ，３６ｂから操作信号を取得しても、その操作信号に対応する処理を実行しない。
【００３９】
また、システムコントローラ４１には、カメラ本体１１の背面に設けられた操作部５６が接続されており、操作部５６が操作された時に操作信号を取得し、この操作信号に対応する処理を実行する。システムコントローラ４１内には、各種制御用のプログラムや設定情報を記憶するメモリ（図示せず）が設けられており、これらのプログラムや設定情報に基づいて各部を制御する。
【００４０】
また、図６に示すように、ＣＣＤ４０の撮像面４０ａ（受光面）は、略正方形にされている。なお、この図６において、撮像面４０ａの向きは、カメラ本体１１の姿勢が正位置（図２（Ａ）に示す位置）の状態の向きを示している。前述のシステムコントローラ４１は、カメラ本体１１の把持位置に基づいて、撮像面４０ａのうち撮像画像を切り出す撮像エリアを変更する撮像エリア変更手段である。カメラ本体１１が第１把持位置（図２（Ａ）に示す位置）で把持され、第１圧力センサ３１から検知信号を取得すると、システムコントローラ４１は、撮影画像を切り出す撮像エリアを図中点線で示す第１撮像エリア５７に設定する。この第１撮像エリア５７は、アスペクト比が横長（例えば、４：３）にされている。
【００４１】
また、カメラ本体１１が第２把持位置（図２（Ｂ）に示す位置）で把持され、第２圧力センサ３２から検知信号を取得すると、システムコントローラ４１は、撮像エリアを図中２点鎖線で示す第２撮像エリア５８に変更する。この第２撮像エリア５８は、第１撮像エリア５７を９０度回転させた撮像エリアである。このように、撮像面４０ａを略正方形にすることにより、カメラ本体１１の把持位置の変更に伴って撮像面４０ａが９０度回転しても、撮像エリアを９０度回転させることにより、横長のアスペクト比を持つ撮影画像を取得できる。
【００４２】
次に、デジタルカメラ１０の撮影処理について図７のフローチャートを用いて説明する。撮影者は、撮影を行う時に操作部５６を操作して撮影モードに設定する。システムコントローラ４１は、操作部５６からの操作信号に基づいて撮影モードに設定して、第１及び第２圧力センサ３１，３２からの検知信号に基づいて、カメラ本体１１が第１把持位置（図２（Ａ）に示す位置）で把持されているか否かを判定する。
【００４３】
第１把持位置で把持されていると判定された場合、システムコントローラ４１は、静止画撮影ボタン１５の操作を有効化して、動画撮影ボタン１６の操作を無効化する。また、システムコントローラ４１は、撮像エリアを第１撮像エリア５７に設定する。
【００４４】
その後、システムコントローラ４１は、第１スイッチ３６ａから操作信号が出力されているか否かを判定する。第１スイッチ３６ａから操作信号が出力されていない場合、操作信号が出力されるまで待機状態となる。また、第１スイッチ３６ａから操作信号が出力されている場合、システムコントローラ４１は、第２スイッチ３６ｂから操作信号が出力されているか否かを判定する。
【００４５】
第２スイッチ３６ｂから操作信号が出力されていないと判定された場合、システムコントローラ４１は、静止画撮影ボタン１５の中央部が押圧されていると判断し、各部を制御して静止画撮影を実行する。この時、第１撮像エリア５７に対応する静止画像データがメモリカード５５に記憶される。
【００４６】
また、第２スイッチ３６ｂから操作信号が出力されていると判定された場合、システムコントローラ４１は、静止画撮影ボタン１５の端部が押圧されていると判断し、各部を制御して動画撮影を実行する。この時、第１及び第２スイッチ３６ａ，３６ｂから同時に操作信号が出力されている間、動画撮影の処理を実行し、第１撮像エリア５７に対応する動画像データがメモリカード５５に記憶される。
【００４７】
その後、システムコントローラ４１は、撮影を終了するか否かを判定する。この判定は、例えば、モードの変更や、電源のＯＮ／ＯＦＦ等の操作信号を操作部５６から取得したか否かによって判定する。
【００４８】
撮影を終了すると判定された場合（再生モードに変更された場合や、電源がＯＦＦにされた場合）、システムコントローラ４１は、撮影処理を終了する。また、撮影を終了しないと判定された場合（モードが変更されず、電源がＯＮのままの場合）、カメラ本体１１が第１把持位置で把持されているか否かの判定処理に戻る。
【００４９】
また、カメラ本体１１が第１把持位置で把持されていないと判定された場合、すなわち、第２把持位置で把持されていると判定された場合、システムコントローラ４１は、動画撮影ボタン１６の操作を有効化して、静止画撮影ボタン１５の操作を無効化する。また、システムコントローラ４１は、撮像エリアを第２撮像エリア５８に設定する。
【００５０】
その後、システムコントローラ４１は、第１スイッチ３８ａから操作信号が出力されているか否かを判定する。第１スイッチ３８ａから操作信号が出力されていない場合、操作信号が出力されるまで待機状態となる。また、第１スイッチ３８ａから操作信号が出力されている場合、システムコントローラ４１は、第２スイッチ３８ｂから操作信号が出力されているか否かを判定する。
【００５１】
第２スイッチ３８ｂから操作信号が出力されていないと判定された場合、システムコントローラ４１は、動画撮影ボタン１６の中央部が押圧されていると判断し、各部を制御して動画撮影の処理を実行する。この時、第１スイッチ３８ａから操作信号が出力されている間、動画撮影の処理を実行し、第２撮像エリア５８に対応する動画像データがメモリカード５５に記憶される。
【００５２】
また、第２スイッチ３８ｂから操作信号が出力されていると判定された場合、システムコントローラ４１は、動画撮影ボタン１６の端部が押圧されていると判断し、各部を制御して静止画撮影を実行する。この時、第２撮像エリア５８に対応する静止画像データがメモリカード５５に記憶される。
【００５３】
その後、システムコントローラ４１は、撮影を終了するか否かを判定する。撮影を終了すると判定された場合、システムコントローラ４１は、撮影処理を終了する。また、撮影を終了しないと判定された場合、カメラ本体１１が第１把持位置で把持されているか否かの判定処理に戻る。
【００５４】
なお、上記実施形態において、第１及び第２圧力センサ３１，３２によって把持位置を検知する場合を例に説明したが、これに限るものではなく、撮影者の手が触れている位置を検知できるセンサ、例えば、静電容量方式等のタッチセンサを用いても良い。
【００５５】
次に、第２の実施形態であるデジタルカメラ６０について説明する。デジタルカメラ１０では、圧力センサ３１，３２によってカメラ本体１１の把持位置を検知したが、デジタルカメラ６０では、カメラ本体６１の姿勢を検知することによって、カメラ本体６１の把持位置を検知する。図８は、デジタルカメラ６０の構成を示す斜視図である。カメラ本体６１内には、カメラ本体６１の姿勢を検知する姿勢検知手段であるジャイロセンサ６２が設けられている。このジャイロセンサ６２としては、姿勢ジャイロやレートジャイロが用いられる。なお、レートジャイロは、角度を検出するために積分が必要であるため、姿勢ジャイロを用いることが好ましい。
【００５６】
図９に示すように、デジタルカメラ６０には、全体を制御する制御手段であるシステムコントローラ６３が設けられている。このシステムコントローラ６３は、前述のシステムコントローラ４１と同様の機能を有しており、第１及び第２圧力センサ３１，３２の代わりにジャイロセンサ６２が接続されており、ジャイロセンサ６２の検知信号を取得する。システムコントローラ６３は、ジャイロセンサ６２の検知信号に基づいてカメラ本体６１の姿勢を判定し、カメラ本体６１が図２（Ａ）に示す正位置の姿勢の場合、カメラ本体６１が第１把持位置で把持されていると判断して、デジタルカメラ１０の場合と同様に、静止画撮影ボタン１５の操作を有効化し、動画撮影ボタン１６の操作を無効化する。
【００５７】
また、カメラ本体６１が図２（Ｂ）に示す縦位置の姿勢の場合、カメラ本体６１が第２把持位置で把持されていると判断して、デジタルカメラ１０の場合と同様に、動画撮影ボタン１６の操作を有効化し、静止画撮影ボタン１５の操作を無効化する。なお、図８において、第１の実施形態であるデジタルカメラ１０と同様の部品には、同じ符号を付して詳しい説明を省略する。また、図９においても、デジタルカメラ１０と同様の部品には、同じ符号を付して詳しい説明を省略する。また、図９に図示されていない部品は、デジタルカメラ１０と同様である。
【００５８】
また、システムコントローラ６３は、カメラ本体６１の姿勢が正位置（図２（Ａ）に示す位置）の場合には、撮像エリアを第１撮像エリア５７に設定し、カメラ本体６１の姿勢が縦位置（図２（Ｂ）に示す位置）の場合には、撮像エリアを第２撮像エリア５８に変更する。
【００５９】
なお、カメラ本体１１が縦位置（図２（Ａ）に示す位置）の姿勢であっても、静止画撮影を行う場合には、撮像エリアを第２撮像エリア５８ｃに変更せず、第１撮像エリア５７に設定して撮影処理を行うことが好ましい。
【００６０】
なお、姿勢検知手段としてジャイロセンサ６２を用いる場合を例に説明したが、これに限るものではなく、カメラ本体６１の姿勢を検知可能なセンサであれば、他のセンサを用いても良い。
【００６１】
次に、第３の実施形態であるカメラ付き携帯電話７０について説明する。図１０〜図１２に示すように、カメラ付き携帯電話７０は、受話器である筐体７１と、送話器である筐体７２と、これらの筐体７１，７２を回動自在に連結するヒンジ７３とを備えて構成されている。
【００６２】
これらの筐体７１，７２は、略矩形の薄板形状にされている。筐体７１と筐体７２とは、ヒンジ７３を中心に互いを重なり合わせる向きに回動して折り畳まれる折り畳み位置（図１２に示す位置）と、この折り畳み位置から互いに離間させる向きに回動させて開く開き位置（図１０及び図１１に示す位置）との間で開閉自在にされている。静止画撮影を行う場合、撮影者は、筐体７１と筐体７２とが折り畳み位置に折り畳まれた状態で、ヒンジ７３を把持して撮影を行う。また、動画撮影を行う場合、撮影者は、筐体７１と筐体７２とが開き位置に開かれた状態で、筐体７２を把持して撮影を行う。
【００６３】
筐体７１の正面７１ａには、ＬＣＤパネル８１及び受話スピーカ８２が設けられており、背面７１ｂには、撮影レンズ８３が露呈されている。また、上面７１ｃには、アンテナ８４が設けられており、側面７１ｄには、静止画撮影ボタン８５が設けられている。ＬＣＤパネル８１は、各種メニュー画面、着信相手の電話番号等の各種情報、及び画像を表示する。また、ＬＣＤパネル８１は、電子ビューファインダとしても使用される。また、受話スピーカ８２は、通話相手の音声を出力し、アンテナ８３は、音声データや、電子メール等のデータの電波信号を送受信する。
【００６４】
筐体７２の正面７２ａには、操作部９１及び送話マイク９２が設けられている。また、筐体７２の下面７２ｂには、メモリカード等の記憶媒体が装填されるスロット９５が設けられている。さらに、背面７２ｃには、ＬＣＤパネル９６が設けられている。操作部９１は、選択キー９１ａ、動画撮影ボタン９１ｂ等の各種操作ボタンを備えて構成されている。また、送話マイク９２は、音声を電気的な信号に変換する。ＬＣＤパネル９６は、各種情報の表示や、電子ビューファインダとして用いられる。
【００６５】
また、図１３に示すように、カメラ付き携帯電話７０には、全体を制御する制御手段であるシステムコントローラ９７が設けられている。このシステムコントローラ９７は、前述のシステムコントローラ４１と同様の機能を有しており、筐体７１，７２の開閉状態を検知する開閉センサ９８が接続されている。この開閉センサ９８は、ヒンジ７３内に設けられている。
【００６６】
さらに、システムコントローラ９７には、操作部９１と、第１スイッチ３６ａ，３８ａと、第２スイッチ３６ｂ，３８ｂとが接続されている。システムコントローラ９７は、操作部９１からの操作信号に基づいて各部を制御する。なお、図１３において、デジタルカメラ１０と同様な部品には、同じ符号を付して詳しい説明を省略する。また、図示せぬ部品については、デジタルカメラ１０と同様の構成である。
【００６７】
システムコントローラ９７は、開閉センサ９８から検知信号を取得し、筐体７１，７２が折り畳み位置（図１２に示す位置）の時に、カメラ付き携帯電話７０が第１把持位置で把持されていると検知し、静止画撮影ボタン８５の操作を有効化して、動画撮影ボタン９１ｂの操作を無効化する。
【００６８】
また、システムコントローラ９７は、開閉センサ９８から検知信号を取得し、筐体７１，７２が開き位置（図１０及び図１１に示す位置）の時に、カメラ付き携帯電話７０が第２把持位置で把持されていると検知して、動画撮影ボタン９１ｂの操作を有効化し、静止画撮影ボタン８５の操作を無効化する。
【００６９】
また、システムコントローラ９７は、開閉センサ９８からの検知信号を取得し、筐体７１，７２が折り畳み位置（図１２に示す位置）の時に、撮像エリアを第１撮像エリア５７に設定し、筐体７１，７２が開き位置（図１０及び図１１に示す位置）の時に、撮像エリアを第２撮像エリア５８に変更する。
【００７０】
なお、上記実施形態において、開閉センサ９８をヒンジ７３に設ける場合を例に説明したが、これに限るものではなく、筐体７１と筐体７２が接触する面に圧力センサを設けて開閉状態を検知するようにしても良い。
【００７１】
また、上記実施形態において、折り畳み式のカメラ付き携帯電話７０を例に説明したが、これに限るものではなく、カメラ本体が組み込まれ、開閉自在な筐体を有する携帯用端末機器でも良い。
【００７２】
以上、第１〜第３の実施形態にて説明したように、カメラ本体が静止画撮影に適した第１把持位置で把持されていると検知された場合、静止画撮影ボタンの操作を有効化し、動画撮影ボタンの操作を無効化する。また、カメラ本体が動画撮影に適した第２把持位置で把持されていると検知された場合、動画撮影ボタンの操作を有効化し、静止画撮影ボタンの操作を無効化する。このため、カメラ本体を静止画または動画撮影に適した姿勢で把持して撮影可能であり、手ぶれ等を防止することができカメラの操作性が向上する。また、撮影者に特別な操作を強いることなく、静止画及び動画の撮影が可能であるため、撮影チャンスを逃すことを防止できる。
【００７３】
また、静止画及び動画撮影ボタンの押圧位置を変更することにより、静止画及び動画の両方の撮影ボタンとして機能するので、不意に他の記録モードで撮影したい場合でも、カメラ本体を持ち替えずに撮影可能であり、撮影チャンスを逃すことなく撮影できる。
【００７４】
なお、上記実施形態において、カメラ本体が略直方体形状の場合や、カメラ本体が折り畳み式のカメラ付き携帯電話に組み込まれている場合を例に説明したが、カメラ本体の形状はこれらに限定されない。
【００７５】
また、上記実施形態において、本発明をデジタルカメラ及びカメラ付き携帯電話に適用した場合を例に説明したが、これに限るものはなく、例えば、静止画撮影が可能なデジタルビデオカメラに適用しても良い。
【図面の簡単な説明】
【００７６】
【図１】第１の実施形態であるデジタルカメラの構成を示す斜視図である。
【図２】カメラ本体の姿勢を示す斜視図である。
【図３】第１圧力センサの作用を示す断面図である。
【図４】静止画撮影ボタンの作用を示す断面図である。
【図５】デジタルカメラの電気的構成を示すブロック図である。
【図６】撮像エリアを示す説明図である。
【図７】デジタルカメラの撮影処理を説明するフローチャートである。
【図８】第２の実施形態であるデジタルカメラの構成を示す斜視図である。
【図９】デジタルカメラの電気的構成を示すブロック図である。
【図１０】第３の実施形態であるカメラ付き携帯電話の前面側の構成を示す斜視図である。
【図１１】カメラ付き携帯電話の背面側の構成を示す斜視図である。
【図１２】カメラ付き携帯電話の折り畳んだ状態を示す斜視図である。
【図１３】カメラ付き携帯電話の電気的構成を示すブロック図である。
【符号の説明】
【００７７】
１０，６０  デジタルカメラ
１１，６１  カメラ本体
１２  撮影レンズ
１５  静止画撮影ボタン
１６  静止画撮影ボタン
３１  第１圧力センサ
３２  第２圧力センサ
３６ａ，３８ａ  静止画スイッチ
３６ｂ，３８ｂ  動画スイッチ
４０  ＣＣＤ
４０ａ  撮像面
５７  第１撮像エリア
５９  第２撮像エリア
６２  ジャイロセンサ
７０  カメラ付き携帯電話
７１，７２  筐体
７３  ヒンジ
８５  静止画撮影ボタン
９１ｂ  動画撮影ボタン
９８  開閉センサ
【図１】
2006148346.tif 000003
【図２】
2006148346.tif 000004
【図３】
2006148346.tif 000005
【図４】
2006148346.tif 000006
【図５】
2006148346.tif 000007
【図６】
2006148346.tif 000008
【図７】
2006148346.tif 000009
【図８】
2006148346.tif 000010
【図９】
2006148346.tif 000011
【図１０】
2006148346.tif 000012
【図１１】
2006148346.tif 000013
【図１２】
2006148346.tif 000014
【図１３】
2006148346.tif 000015